(57)【要約】【課題】トナー像の転写にあたり、転写不良を低減させる。【解決手段】中間転写ベルト７１との間に用紙Ｐを挟み、転写電圧の印加を受けて中間転写ベルト７１上のトナー像を用紙Ｐ上に引き寄せる転写ロール７３を備え、その転写ロール７３が、用紙Ｐの搬送方向について相対的に上流側の、転写ロール７３を実線で示す第１位置と、相対的に下流側の、転写ロール７３を破線で示す第２位置との間で移動し、１つのトナー像を、少なくとも、第１の位置と第２の位置との双方で用紙Ｐ上に引き寄せる。【選択図】図１
2017009723.tif 000002
【特許請求の範囲】
【請求項１】
移動する像保持体上に形成された、複数色の粉体の積層体からなる粉体像を、搬送されてきた用紙上に転写する転写装置であって、
前記像保持体との間に用紙を挟み、転写電圧の印加を受けて該像保持体上の粉体像を該用紙上に引き寄せる転写部材を備え、
前記転写部材が、前記用紙の搬送方向について相対的に上流側の第１位置と相対的に下流側の第２位置との間で移動し、１つの粉体像を、少なくとも、該第１の位置と該第２の位置との双方で前記用紙上に引き寄せるものであることを特徴とする転写装置。
【請求項２】
前記転写部材が、前記第１の位置において粉体像を用紙上に引き寄せ、次いで、前記第２の位置に移動し、該第２の位置において、粉体像を、該第１の位置において粉体像を引き寄せた用紙上に、再び引き寄せるものであることを特徴とする請求項１記載の転写装置。
【請求項３】
前記転写部材が、前記第１の位置において前記像保持体上の粉体像の用紙上への引き寄せを開始し、該粉体像の引き寄せを継続しながら前記第２の位置に向かって前記移動方向下流側に移動するものであることを特徴とする請求項１記載の転写装置。
【請求項４】
環境の温湿度を測定する環境センサと、該環境センサで測定された温湿度環境が閾値以下の低温低湿環境であるときに、前記転写部材を移動させての転写を実行させ、該温湿度環境が閾値を越えているときには、前記転写部材の位置を固定したままの転写を実行させる制御を行なう制御部とを備えたことを特徴とする請求項１から３のうちいずれか１項記載の転写装置。
【請求項５】
移動する像保持体上に、複数色の粉体を積層して粉体像を形成する像形成部と、
請求項１から４のうちのいずれか１項に記載の転写装置を備え、前記像形成部で前記像保持体上に形成された粉体像を、搬送されてきた用紙上に転写する転写部と、
前記転写部で用紙上に転写された粉体像を該用紙上に定着する定着部とを備えたことを特徴とする画像形成装置。
【発明の詳細な説明】
【技術分野】
【０００１】
本発明は、転写装置および画像形成装置に関する。
【背景技術】
【０００２】
特許文献１には、二次転写後に中間転写体上に残留したトナーをトナー帯電部材により帯電させた後に、一次転写部で中間転写体から像保持体に移動させる動作を行なう画像形成装置が開示されている。
【０００３】
また、特許文献２には、多色のトナー像を中間転写体に重畳して一次転写するモードがあり、一次転写と二次転写が同時に行われない装置が開示されている。
【先行技術文献】
【特許文献】
【０００４】
【特許文献１】特開２０１１−１６４５３５号公報
【特許文献２】特開平０９−０９０７７９号公報
【発明の概要】
【発明が解決しようとする課題】
【０００５】
しかし従来の装置では、環境変化、特に高温高湿下において、転写不良を発生する場合があった。
【０００６】
本発明は、粉体像の転写にあたり、転写不良を低減させた転写装置および画像形成装置を提供することを目的とする。
【課題を解決するための手段】
【０００７】
請求項１は、移動する像保持体上に形成された、複数色の粉体の積層体からなる粉体像を、搬送されてきた用紙上に転写する転写装置であって、
前記像保持体との間に用紙を挟み、転写電圧の印加を受けて該像保持体上の粉体像を該用紙上に引き寄せる転写部材を備え、
前記転写部材が、前記用紙の搬送方向について相対的に上流側の第１位置と相対的に下流側の第２位置との間で移動し、１つの粉体像を、少なくとも、該第１の位置と該第２の位置との双方で前記用紙上に引き寄せるものであることを特徴とする転写装置である。
【０００８】
請求項２は、前記転写部材が、前記第１の位置において粉体像を用紙上に引き寄せ、次いで、前記第２の位置に移動し、該第２の位置において、粉体像を、該第１の位置において粉体像を引き寄せた用紙上に、再び引き寄せるものであることを特徴とする請求項１記載の転写装置である。
【０００９】
請求項３は、前記転写部材が、前記第１の位置において前記像保持体上の粉体像の用紙上への引き寄せを開始し、該粉体像の引き寄せを継続しながら前記第２の位置に向かって前記移動方向下流側に移動するものであることを特徴とする請求項１記載の転写装置である。
【００１０】
請求項４は、環境の温湿度を測定する環境センサと、該環境センサで測定された温湿度環境が閾値以下の低温低湿環境であるときに、前記転写部材を移動させての転写を実行させ、該温湿度環境が閾値を越えているときには、前記転写部材の位置を固定したままの転写を実行させる制御を行なう制御部とを備えたことを特徴とする請求項１から３のうちいずれか１項記載の転写装置である。
【００１１】
請求項５は、
移動する像保持体上に、複数色の粉体を積層して粉体像を形成する像形成部と、
請求項１から４のうちのいずれか１項に記載の転写装置を備え、前記像形成部で前記像  保持体上に形成された粉体像を、搬送されてきた用紙上に転写する転写部と、
前記転写部で用紙上に転写された粉体像を該用紙上に定着する定着部とを備えたことを特徴とする画像形成装置である。
【発明の効果】
【００１２】
請求項１の転写装置および請求項５の画像形成装置によれば、１箇所の、固定された位置で転写を行なう転写部材を採用した場合と比べ、転写不良の発生が抑えられる。
【００１３】
請求項２の転写装置によれば、第１の位置のみ、あるいは第２の位置のみで転写を実行する場合と比べ、転写不良の発生が抑えられる。
【００１４】
請求項３の転写装置によれば、第１の位置と第２の位置との２箇所のみで転写を実行する場合と比べ、転写不良の発生を抑えつつ、長尺の用紙への転写が可能である。
【００１５】
請求項４によれば、転写部材を移動させての転写を温湿度環境の如何にかかわらず実行する場合と比べ、転写不良の発生を抑えつつ、転写部材の無駄な動きを抑えることができる。
【図面の簡単な説明】
【００１６】
【図１】本発明の一実施形態としての画像形成装置の概略構成図である。
【図２】転写ロールの移動機構の一例を示す図である。
【図３】本発明の第２実施形態としての画像形成装置の概略構成図である。
【図４】図３に示す第２実施形態における転写ロールの移動機構の一例を示す図である。
【発明を実施するための形態】
【００１７】
以下、本発明の実施形態を説明する。
【００１８】
図１は、本発明の一実施形態としての画像形成装置の概略構成図である。
【００１９】
この画像形成装置１は、原稿読取部１０、画像形成部２０、および用紙収容部３０を有する。画像形成部２０には、本発明の第１実施形態としての転写装置が含まれている。
原稿読取部１０には、原稿Ｓが重ねられた状態に置かれる原稿給紙台１１が備えられている。この原稿給紙台１１上に置かれた原稿Ｓは１枚ずつ送り出されて搬送ロール１２によって搬送経路１３上を搬送され、透明ガラス製の原稿読取板１４の下に置かれた原稿読取光学系１５により、その搬送されてきた原稿に記録されている文字や画像が読み取られて原稿排紙台１６上に排出される。
【００２０】
また、この原稿読取部１０は、その奥側に左右に延びるヒンジを有し、そのヒンジを回転中心として、原稿給紙台１１および原稿排紙台１６を一体的に持ち上げることができる。その持ち上げた下には、原稿読取板１４が広がっている。この原稿読取部１０では、原稿給紙台１１に原稿を置くことに代えて原稿読取板１４上に原稿を１枚だけ下向きに置き、原稿読取光学系１５が矢印Ａ方向に移動してその原稿読取板１４上の原稿から文字や画像を読み取ることもできる。
【００２１】
原稿読取光学系１５で得られた画像信号は、処理・制御回路２１に入力される。処理・制御回路２１は、以下のようにして、入力されてきた画像信号に基づく画像を形成する。また、この処理・制御回路２１は、この画像形成装置１の各部の動作制御を担っている。
この処理・制御回路２１は、本発明にいう制御部の一例としても作用する。
また、この画像形成装置１の下部に設けられた用紙収容部３０には、３台の給紙台３１＿１，３１＿２，３１＿３が収容されている。これらの給紙台３１＿１，３１＿２，３１＿３には、各給紙台３１＿１，３１＿２，３１＿３ごとに例えば寸法の異なる用紙Ｐが積み重なった状態に収容されている。各給紙台３１＿１，３１＿２，３１＿３は、用紙Ｐの補給のために、引出し自在に構成されている。
【００２２】
それら３台の給紙台３１＿１，３１＿２，３１＿３のうちの、例えば原稿の寸法に適合した寸法の用紙Ｐが収容されている給紙台（ここでは一例として給紙台３１＿３とする）から用紙Ｐがピックアップロール３２により送り出され、さばきロール３３により１枚ずつに分離され、その１枚の用紙Ｐが搬送ロール３４により矢印Ｂの向きに上方に搬送され、待機ロール３５によりそれ以降の搬送のタイミングが調整されてさらに搬送される。この待機ロール３５以降の搬送については後述する。
【００２３】
また、画像形成部２０には、手差し給紙台２２が備えられている。この手差し給紙台２２はその下端部を中心に開く折り畳み式のものであり、この手差し給紙台２２を開き、その上に用紙を置き、その手差し給紙台２２に置かれた用紙を矢印Ｃに従って送り込むことも可能である。
【００２４】
この画像形成部２０の中央部には、矢印Ｄで示す向きに回転する感光体５１を有し、その感光体５１の周囲に、帯電器５２、現像装置６０、除電器５４、およびクリーナ５５が配置されている。また、感光体５１の上方には、露光器５３が配置されている。また、後述する中間転写ベルト７１を感光体５１との間に挟んだ位置には転写ロール５６が置かれている。
【００２５】
感光体５１は円筒形状を有し、帯電により電荷を保存し露光によりその電荷を放出してその表面に静電潜像を保持する。
【００２６】
帯電器５２は、感光体５１の表面をある帯電電位に帯電する。
【００２７】
また、露光器５３には、処理・制御回路２１から画像信号が入力され、その入力された画像信号に応じて変調された光ビーム５３１を出力する。この光ビーム５３１は、矢印Ｄ方向に回転する感光体の表面５１の、帯電器５２による帯電を受けた部分を、その感光体５１の回転軸方向（図１の紙面に垂直な方向）に繰り返し走査し、感光体５１の表面に静電潜像を形成する。
【００２８】
さらに感光体５１は、光ビーム５３１の走査を受けて表面に静電潜像が形成された後、現像装置６０により現像され、その感光体５１の表面にトナー像が形成される。
【００２９】
ここで本実施形態における現像装置６０は、その回転軸の回りを取り巻くように４台の現像器６１＿１，６１＿２，６１＿３,６１＿４を備え、矢印Ｅの向きに回転することによりそれらの現像器６１＿１〜６１＿４を回転軸の回りに公転させて、それら４台の現像器６１＿１〜６１＿４のうちのいずれか１台の現像器（図１に示す状態では現像器６１＿１）を感光体５１に対面した位置に移動させる。感光体５１上に形成された静電潜像は、その感光体５１に対面した現像器により現像されてトナー像が形成される。
【００３０】
現像装置６０に備えられている４台の現像器６１＿１〜６１＿４には、各現像器ごとにイエロー（Ｙ）、マゼンタ（Ｍ）、シアン（Ｃ）、および黒（Ｋ）のトナーが収容されている。感光体５１上の静電潜像の現像にあたっては、今回使用される色のトナーを収容した現像器が感光体５１に対面する位置に移動され、その感光体５１に対面した現像器により、その現像器に収容された色トナーによる現像が行なわれる。
【００３１】
現像器による現像により、感光体５１上に形成されたトナー像は、転写ロール５６の作用により中間転写ベルト７１上に転写される。
【００３２】
この感光体５１は、さらにクリーナ５５により、転写後の感光体５１に残存しているトナーが除去される。
【００３３】
中間転写ベルト７１は、複数のロール７２に架け回された、無端の、矢印Ｆ方向に循環移動するベルトである。この中間転写ベルト７１の近傍には、用紙Ｐの搬送経路を挟んだ位置に転写ロール７３が配置されている。この転写ロール７３は、図１にその転写ロール７３を実線で示す第１の位置と、その第１の位置よりも、用紙搬送方向（矢印Ｇ方向）下流側の、図１に破線で示す第２の位置との間で移動する。ここで、この転写ロール７３は、第１の位置と第２の位置の２カ所において中間転写ベルト７１に接触し、第１の位置と第２の位置との間の中間の位置では中間転写ベルト７１から離間した状態で移動する。この転写ロール７３は、本発明にいう転写部材の一例に相当する。
【００３４】
図１に破線で示す第２の位置よりも中間転写ベルト７１の循環移動方向下流側には、転写ロール７３による転写後に中間転写ベルト７１上に残存するトナーを除去するクリーナ７４が配置されている。このクリーナ７６７、転写ロール７３と同様、中間転写ベルト７１に接離自在な構成となっている。
【００３５】
複数色による画像を形成するときは、転写ロール７３およびクリーナ７６を中間転写ベルト７１から離間させておき、ある１色のトナーによるトナー像を感光体５１上に形成して中間転写ベルト７１に転写する過程を、現像装置６０を回転させながら複数の現像器（複数色のトナー）について繰り返し、中間転写ベルト７１上に、複数色のトナーによる複数のトナー像を、順次重なるように転写する。
【００３６】
その後、転写ロール７３を、図１に実線で示す第１位置に移動させることにより、中間転写ベルト７１に接触させる。
そして、重ねられた複数色のトナー像がその転写ロール７３が置かれた第１位置に達するタイミングで用紙Ｐもその第１位置に達するように、用紙Ｐが待機ロール３５から送り出され、その第１位置において、転写ロール７３の作用により、中間転写ベルト７１上の複数色のトナー像が用紙Ｐ上に転写される。
【００３７】
ここで、本実施形態の画像形成装置１には、装置内部の温湿度環境を測定する環境センサ８１が備えられている。この環境センサ８１で得られた装置内部の温湿度測定値は、処理・制御回路２１に入力される。この処理・制御回路２１は、中間転写ベルト７１上のトナー像の用紙Ｐへの転写に関し、その入力された温湿度測定値に応じた、以下の制御を実行する。すなわち、処理・制御部２１では、入力された温湿度測定値を閾値と比較し、その閾値以下の低温低湿環境下にあるか否かが判定される。そしてその閾値以下の低温低湿環境ではない、と判定したときは、処理・制御回路２１は、転写ロール７３を実線で示す第１位置に移動させてその第１位置に搬送されてきた用紙Ｐを中間転写ベルト７１との間に挟んでその中間転写ベルト７１上のトナー像を用紙Ｐ上に転写させ、その第１位置だけで転写処理を終了させる。トナー像の転写を受けた用紙Ｐは、中間転写ベルト７１とともに矢印Ｇで示す向きに搬送され、中間転写ベルト７１から離れてさらに搬送され、定着器７５による加熱および加圧を受けて、その用紙上に定着トナー像からなる画像が形成される。この定着器７５を通過した用紙は、さらに矢印Ｈで示す向きに搬送されて用紙排出台２３上に排出される。
【００３８】
一方、処理・制御回路２１は、入力された温湿度測定値が閾値以下の低温低湿環境下にあると判定すると、先ずは、上記と同様にして転写ロール７３を上記の第１位置に移動させ、中間転写ベルト７１との間に用紙Ｐを挟んで中間転写ベルト７１上のトナー像を用紙Ｐに転写させる。そして、第１位置における用紙Ｐへのトナー像の転写が終了した直後、すなわち、用紙Ｐの後端が第１位置を通過した直後に、用紙Ｐの移動に対し先回りするように転写ロール７３を矢印Ｕに沿って図に破線で示す第２位置に直ちに移動させる。そして、その処理・制御回路２１は、転写ロール７３に、第２位置に進んできた用紙Ｐを中間転写ベルト７１との間に再び挟ませて再び転写の処理を行なわさせる。
【００３９】
低温低湿環境下では、転写不良が生じ易い。そこで、本実施形態では、低温低湿環境下においては、第１位置と第２位置との双方で合計２回の転写処理を実行することで、転写不良の発生を防止している。第１位置と第２位置との双方で転写処理を行なった場合も、その後は、第１位置のみで転写処理を行なった場合と同様、その用紙Ｐに転写されたトナー像を、定着器７５による加熱および加圧によりその用紙Ｐ上に定着し、これによりその用紙Ｐ上に定着トナー像からなる画像が形成される。この定着器７５を通過した用紙は、さらに矢印Ｈで示す向きに搬送されて、用紙排出台２３上に排出される。
【００４０】
転写処理終了後の転写ロール７３は、中間転写ベルト７１から離間した位置に移動して待機する。
【００４１】
また、用紙Ｐ上に転写を行なうタイミングでは、クリーナ７６も中間転写ベルト７１に接触するように移動し、転写ロール７３による転写後において中間転写ベルト７１上に残存するトナーが、クリーナ７６により、その中間転写ベルト７１上から除去される。
【００４２】
また、この画像形成装置１は、用紙Ｐの両面に画像を形成することが可能な装置となっている。用紙Ｐの両面に画像を形成する場合、上記と同様にして用紙Ｐの第１面にのみ画像が形成された用紙Ｐが、用紙排出台２３上に排出されることに代わり、案内部材３６の切り替えにより、搬送ロール３７により矢印Ｉで示す向きに搬送される。その後、搬送方向が矢印Ｊで示す向きに反転し、もう１つの案内部材３８により、今度は矢印Ｋで示す向きに案内されて搬送ロール３９により搬送され、待機ロール３５に至る。
【００４３】
その後は、再度上記と同様にして、今度はその用紙Ｐの第２面に画像が形成される。このようにして両面に画像が形成された用紙Ｐは、今度は用紙排出台２３上に排出される。
【００４４】
図２は、転写ロールの移動機構の一例を示す図である。ここには、転写ロールの一方の端部の構造が示されている。
【００４５】
転写ロール７３は、その両端（この図２では一方の端のみ図示）が支持部材９０で移動自在に支持されている。具体的には、この指示部材９０には、弓形にわん曲した長孔９１が形成されていて、転写ロール７３の軸７３１がその長孔９１を通過し、これにより転写ロール７３がこの支持部材９０に支持されている。この長孔９１の一方の端部は、図１に転写ロール７３を実線で示す第１位置に対応していて、もう一方の端部は、図１に転写ロール７３を破線で示す第２位置に対応している。また、転写ロール７３の軸７３１の、長孔９１を通過した部分に、ピニオンギア９５（ギアの歯は図示省略）が支持されている。ただし、転写ロール７３の軸７３１は、このピニオンギア９５に対し自由回転する構造となっている。
【００４６】
また、支持部材９０には、ラック９２が設けられていて、ピニオンギア９５はそのラック９２と噛み合っている。ここで、ラック９２の、ピニオンギア９５と噛み合う歯は図示省略されている。このラック９２も、長孔９１と同じ形状の弓形に形成されている。また、ここには、ピニオンギア９５と噛み合う駆動ギア９６（歯は図示省略）も備えられている。この駆動ギア９６は、その軸９６１に固定されていて、その軸９６１とともに回転する。
【００４７】
ここで、転写ロール７３の軸７３１は不図示の第１のモータから駆動力を受けて回転する。この転写ロール７３の軸７３１は、ピニオンギア９５に対し自由回転する構造となっているため、第１のモータが回転したときは、ピニオンギア９５は回転せずに、転写ロール７３が回転する。したがって、第１のモータの回転によっては、転写ロール７３の位置は移動しない。転写ロール７３は、第１位置あるいは第２位置に移動した状態において、中間転写ベルト７１に押し当てられて第１のモータから駆動力を受け、中間転写ベルト７１の移動速度と同じ表面速度で回転する。なお、この転写ロール７３を中間転写ベルト７１から駆動力を受けて従動回転する構成を採用したときは、第１のモータは不要であり、転写ロール７３がピニオンギア９５に対し自由回転可能な構成となっていればよい。
駆動ギア９６は、不図示の第２のモータから駆動力を受けて回転する。駆動ギア９６が回転すると、駆動ギア９６は、ピニオンギア９５を駆動して、そのピニオンギア９５を回転させる。ピニオンギア９５は、ラック９２と噛み合っている。このため、ピニオンギア９５が回転すると、そのピニオンギア９５は、転写ロール７３を引き連れて第１位置（長孔９１の一方の端）と第２位置（長孔９１のもう一方の端）との間で移動する。長孔９１およびラック９２が弓形に形成されているのは、第１の位置と第２の位置では転写ロール７３を中間転写ベルト７１に押し当てるとともに、第１の位置と第２の位置を除く、それらの中間の位置では、転写ロール７３を中間転写ベルト７１から離間させるためである。
【００４８】
なお、ここでは、環境センサ８１を備えて装置内の温湿度を測定し、閾値以下の温湿度環境下にあるときに、第１位置を第２位置との双方で合計２回の転写処理を行なうこととしている。
【００４９】
ただし、温湿度環境の如何にかかわらず、常に、第１位置と第２位置との双方で転写処理を行うように構成してもよい。あるいは、第１位置のみで転写を行なうモードと、第１位置と第２位置との双方で転写を行なうモードとを切り替えるように構成する場合であっても、その切替えの条件は、温湿度環境に限られるものではない。例えば中間転写ベルト７１に積層されたトナー像の厚みが厚いほど（Ｃ，Ｍ，Ｙ，Ｋのトータルの面積率が大きいほど）転写不良が生じ易く、したがって、その厚み（面積率）によって転写のモードを切り替えてもよい。あるいは、用紙Ｐの種類（例えば表面粗さ）によっても、転写不良の発生のおそれがある用紙とそうではない用紙が存在する。したがって、転写のモードを、転写に用いる用紙Ｐの種類によって切り替えてもよい。さらには、用紙Ｐの両面に画像を形成するモードでは、画像が先に形成される第１面への転写時よりも、その次の第２面への転写時の方が、転写不良が生じ易い。これは、第１面への転写の後の定着器７５による加熱により用紙Ｐの水分が蒸発して用紙Ｐの乾燥が進み、このため、乾燥が進んだ後の第２面への転写時の方が転写不良を生じ易いからである。したがって、用紙Ｐの両面に画像を形成するモードにおける第１面への転写と第２面への転写とで、転写のモードを切り替えてもよい。あるいは、これらのいくつかの条件を組み合わせて、転写のモードを切り替えてもよい。
【００５０】
図３は、本発明の第２実施形態としての画像形成装置の概略構成図である。ここでは、図１に示す第１実施形態としての画像形成装置の各要素に対応する要素には、分かり易さのため、形状の相違等があっても図１において付した符号と同一の符号を付して示し、相違点について説明する。この図３に示す画像形成装置には、本発明の第２実施形態の転写装置が含まれている。
【００５１】
図１に示す第１実施形態の画像形成装置の場合、転写ロール７３は図１に実線で示す第１位置における第１回目の転写処理を終えてから第２位置に移動して、第２回目の転写処理を行なう。このため、用紙Ｐの搬送方向の長さは、第１位置と第２位置との間の距離よりも短く、さらに、その距離から、転写ロール７３が第１位置から第２位置に移動するのに要する時間内に用紙Ｐが進む距離を差し引いた距離よりも短くなければならない。
【００５２】
これに対し、この図３に示す第２実施形態の画像形成装置の場合は、図１に示す画像形成装置と比べ、用紙の搬送方向の長さの制限が緩和されている。
【００５３】
この図３に示す第２実施形態の画像形成装置の場合、転写ロール７３は、中間転写ベルト７１との間に用紙Ｐを挟んだ状態のまま、図３に実線で示す第１位置から破線で示す第２位置まで、矢印Ｖの向きに移動する。この移動の際は、中間転写ベルト７１を挟んで転写ロール７３に対向する裏当てロール７２ａも、転写ロール７３の移動とともに一緒に移動する。そして、転写ロール７３は、第１位置で転写処理を開始し、第２位置に向かって移動している途中も転写処理を続け、第２位置に到着すると転写処理を終了する。転写ロール７３は、転写に際し、中間転写ベルト７１から離間した位置から図３に実線で示す第１位置に移動して、中間転写ベルト７１に押し当てられる。そして、用紙Ｐが３台の給紙台３１＿１，３１＿２，３１＿３のいずれかから１枚取り出されて搬送され、その用紙Ｐの搬送方向先端縁が第１位置に達すると、矢印Ｖの向きへの移動を開始する。
【００５４】
ここで、中間転写ベルト７１と用紙Ｐは、互いに同一の規定の速度で移動するが、転写ロール７３と裏当てロール７２ａは、その規定の速度よりも遅い速度で移動する。転写ロール７３および裏当てロール７２ａは、その差分に相当する回転速度で回転し、これにより、用紙Ｐや中間転写ベルト７１との間で擦れることなく、移動する。そして、転写ロール７３や裏当てロール７２ａは、その搬送中の用紙Ｐの搬送方向後端縁が第２位置に到達するタイミングで第２位置に到達する。この場合、転写ロール７３を第１位置に固定的に配置した場合と比べ、用紙Ｐの各領域について時間をかけた転写処理が行なわれ、これにより、転写不良が防止される。
【００５５】
なお、ここでは、転写ロール７３は、用紙Ｐの後端縁が第２位置に到達するタイミングで第２位置に到達する旨説明した。このように、用紙Ｐの搬送方向の長さに拘わらず常に、用紙Ｐの後端縁が第２位置に到達するタイミングで転写ロール７３が第２位置に到達するように転写ロール７３の移動速度を調整してもよい。ただし、この場合、用紙の長さに応じて転写ロール７３の回転速度も調整する必要がある。あるいは、最長の用紙Ｐについてのみ、その用紙Ｐの後端縁と転写ロール７３の第２位置への到達のタイミングを合わせることとし、用紙Ｐの長さによらず、転写ロール７３の移動速度や回転速度を一定にしてもよい。
【００５６】
また、この第２実施形態においても、転写モードとして、転写ロール７３を第１位置に固定させるモードと、第１位置から第２位置へと移動させるモードとを備え、それらのモードを温湿度環境条件やその他の条件で切り替えてもよい。
【００５７】
図４は、図３に示す第２実施形態における転写ロール７３の移動機構の一例を示す図である。この図４にも、図２と同様、転写ロールの一方の端部の構造が示されている。この図４において、図２の移動機構の構成要素に対応する構成要素には、分かり易さのため、形状の相違等があっても同一の符号を付して示し、図２の移動機構との相違点について説明する。
【００５８】
この図４に示す支持部材９０には、水平に伸びる長孔９１が設けられていて、転写ロール７３の軸７３１は、その水平に延びる長孔９１を貫通している。このため、ラック９２も、水平に広がる平板上に形成されている。この構造により、転写ロール７３が移動している途中においても、転写ロール７３は中間転写ベルト７１あるいは用紙Ｐに押し当てられた状態を維持している。前述の図２の移動機構の場合、転写ロール７３を第１位置と第２位置との中間の位置に移動させれば、転写ロール７３は中間転写ベルト７１から離間した状態となる。これに対し、この図４に示す移動機構の場合、転写ロール７３を移動させても、その転写ロール７３は、中間転写ベルト７１に接触したままである。そこで、この図４に示す移動機構の場合は、支持部材９０が、不図示の上下移動機構により上下動する。この上下移動機構により、転写ロール７３が中間転写ベルト７１に接離する。
【００５９】
なお、中間転写ベルト７１の裏側の裏当てロール７２ａも、この図４に示す移動機構と同様な移動機構により、転写ロール７３と同期して移動する。
【００６０】
なお、ここでは、本発明をいわゆるロータリタイプの現像装置を備えた画像形成装置に適用した例について説明したが、複数の現像器が中間転写ベルトに沿って配列された、いわゆるタンデム型の画像形成装置等に本発明を適用してもよい。
【符号の説明】
【００６１】
１    画像形成装置
１０    原稿読取部
２０    画像形成部
６０    現像装置
６１＿１，６１＿２，６１＿３，６１＿４    現像器
８１    環境センサ
９０    支持部材
９１    長孔
９２    ラック
９５    ピニオンギア
９６    駆動ギア
７３１，９６１    軸
【図１】
2017009723.tif 000003
【図２】
2017009723.tif 000004
【図３】
2017009723.tif 000005
【図４】
2017009723.tif 000006